(57)【特許請求の範囲】
【請求項１】
電子時計の各種機能について上位モードの下に下位モードが階層的に存在し、各階層においてユーザが必要なモードを選択する電子時計において、
各階層において選択したモードの名称を交互に切り替えて表示することを特徴とする電子時計。
【請求項２】
電子時計の各種機能について上位モードの下に下位モードが階層的に存在し、各階層においてユーザが必要なモードを選択する電子時計において、
各階層において選択したモードの名称の全部または一部を階層順にスクロール表示することを特徴とする電子時計。
【請求項３】
さらに、前記選択したモードの名称をスクロール表示することを特徴とする請求項１に記載の電子時計。
【請求項４】
さらに、前記モード名称の表示を所定時間経過後に終了するようにしたことを特徴とする請求項１〜３のいずれか一つに記載の電子時計。
【請求項５】
さらに、最下位でない階層のモードを選択変更する場合、当該選択変更する前のモードに従属する下位モードを記憶するようにしたことを特徴とする請求項１〜４のいずれか一つに記載の電子時計。
【請求項６】
モードを選択した場合、その選択したモードの名称を最初に表示するようにしたことを特長とする請求項１〜５のいずれか一つに記載の電子時計。
【請求項７】
さらに、選択したモード名称の表示を指示する表示命令を入力した場合に、当該モード名称の表示を行うことを特徴とする請求項１〜６のいずれか一つに記載の電子時計。
【発明の詳細な説明】
【０００１】
【発明の属する技術分野】
本発明は、電子時計の各種機能について上位モードの下に下位モードが階層的に存在し、各階層においてユーザが必要なモードを選択する電子時計に関し、より詳細には、操作性のよい電子時計に関する。
【０００２】
【従来の技術】
従来の電子時計として、例えば、電子時計の各種機能についてのモードが、上位モードの下に下位モードがあるというように、階層的に存在し、各階層においてユーザが必要なモードを選択できるようになっていて、ユーザが選択したモードの名称を所定時間表示する電子時計がある。このような電子時計によれば、ユーザがスイッチ操作等により選択したモードの名称を所定時間表示するため、ユーザは、選択したモードの名称を確認することができる。
【０００３】
選択して表示されたモード以外の階層のモードがどのように設定されているかを知りたい場合、ユーザは、最上位の階層から順次モードの選択を行って各階層のモードを設定し、モードの選択の際に表示されるモードの名称を記憶するか、書き写すかすることにより、各階層のモードがどのように設定されているかを確認している。
【０００４】
【発明が解決しようとする課題】
しかしながら、上記従来の技術によれば、各階層のモードがどのように設定されているかを知りたい場合、ユーザが、最上位の階層から順次モードの選択を行って各階層のモードを設定し、モードの選択の際に表示されるモードの名称を記憶するか、書き写すかしなければならないため、手間がかかり、ユーザの負荷を増大し、操作性が低下するという問題点があった。
【０００５】
本発明は上記に鑑みてなされたものであって、ユーザの負荷を軽減し、操作性の向上を図ることを目的とする。
【０００６】
【課題を解決するための手段】
上記の目的を達成するために、本発明の電子時計は、電子時計の各種機能についてのモードが、上位モードの下に下位モードが存在するというように、階層的に存在し、各階層においてユーザが必要なモードを選択できるようにしており、ユーザが各階層において選択したモードを確認することができるように、各階層において選択したモードの名称を交互に切り替えて表示する、いわゆる、オートリターン表示を行うようにした。
【０００７】
また、交互に切り替えて表示する代わりに、各階層において選択したモードの名称の全部または一部を階層順に移動させながら表示する、いわゆる、スクロール表示を行ってもよいし、オートリターン表示を行いつつ、表示画面に収まりきらない長いモードの名称をスクロール表示するようにしてもよい。
【０００８】
また、これらのモード名称の表示を所定時間経過後に終了するようにして、モード名称の表示終了後に表示画面を有効に活用できるようにしてもよいし、最下位でない階層のモードを選択変更する場合、選択変更する前のモードに従属する下位モードを記憶するようにして、再び、その選択変更する前のモードを選択するとき、記憶していた従属する下位モードを設定するようにしてもよい。さらに、モードを選択した場合、その選択したモードの名称を最初に表示するようにしてもよいし、選択したモード名称の表示を指示する表示命令を入力した場合に、各階層において選択したモード名称の表示を行うようにしてもよい。
【０００９】
【発明の実施の形態】
以下に本発明の実施の形態を、実施の形態１，実施の形態２の順で、添付の図面を参照して詳細に説明する。
【００１０】
実施の形態１．
実施の形態１の電子時計として、電子腕時計を例に挙げ、まず、その構成について図１を参照して説明する。図１は、本発明の実施の形態１にかかる電子腕時計の概略構成を示すブロック図である。実施の形態１の電子腕時計１００は、電子腕時計１００を制御するプログラムを記憶したＲＯＭ１０１と、ＲＯＭ１０１に記憶されたプログラムに従って電子腕時計１００を制御するＣＰＵ１０２と、作業領域やパラメータの格納領域として使用されるＲＡＭ１０３と、表示を行うＬＣＤ１０４と、ＣＰＵ１０２からの制御に基づいてＬＣＤ１０４を操作するＬＣＤドライバ１０５と、発振を行い、発振信号をＣＰＵ１０２に出力するシステムクロック発振回路１０６と、システムクロック発振回路１０６からの発振信号を分周する分周回路１０７と、ＣＰＵ１０２に制御され、分周回路１０７からの分周信号をカウントするカウンタ１０８と、複数のスイッチおよび入力回路を有し、ユーザからの入力に応じてＣＰＵ１０２に信号を出力する入力部１０９と、を備えている。
【００１１】
また、電子腕時計１００には、各種機能についてのモードが、上位モードの下に下位モードが存在するというように、階層的に存在する。このモードの階層の深さおよびモードの数はどのようなものであってもよいが、ここでは、説明の簡単のため、モードの階層の深さは２階層であるものとし、たとえば、上位階層のアラームモードおよびタイマーモードと、アラームモードの下位階層のデイリーモード，ウィークデイモードおよびスケジュールモードと、タイマーモードの下位階層のプリセットモードおよびフリーモードと、が存在するものとする。
【００１２】
入力部１０９には、上位階層におけるモード選択用のスイッチであるスイッチＡおよび下位階層におけるモード選択用のスイッチであるスイッチＣ、ならびに、選択したモードの名称の表示を指示する表示命令を入力するためのスイッチＢが設けられている。ユーザは、スイッチＢを押下することによって各階層において選択したモードの名称を表示させて確認することができる。また、スイッチＡおよびスイッチＣを押下することによって各階層のモードの選択を行うことができる。
【００１３】
以上の構成において、実施の形態１の動作について図２，図３を参照して説明する。図２は、実施の形態１にかかるＣＰＵ１０２による表示制御を示す説明図である。ＣＰＵ１０２は、スイッチＡが押下されたとき、入力部１０９を介して、スイッチＡが押下されたことを通知する信号を入力する。上位階層においてタイマーモードが設定され、下位階層においてプリセットモードが設定されている場合は、下位階層のプリセットモードを示すパラメータをＲＡＭ１０３に記憶させ、タイマーモードからアラームモードへの選択変更を行う。以前に、アラームモードからタイマーモードへの選択変更を行っていた場合は、その選択変更の際にＲＡＭ１０３に記憶された下位階層のモードを示すパラメータが存在するので、そのパラメータに基づいて、たとえば、デイリーモードを設定する。
【００１４】
ＣＰＵ１０２は、選択変更後、まず、ＬＣＤドライバ１０５を制御し、ＬＣＤ１０４を介して、選択したモードであるアラームモードの名称の「ＡＬＡＲＭ」を表示する（図中の２０１）。続いて、下位階層のデイリーモードの名称である「ＤＡＩＬＹ」の表示を行い（図中の２０２）、以後所定時間をカウンタ１０８にカウントさせ、「ＡＬＡＲＭ」および「ＤＡＩＬＹ」を交互に切り替えて表示する、いわゆる、オートリターン表示を行う。所定時間の経過後はこの表示を終了する。
【００１５】
所定時間の経過後、表示を終了することにより、表示画面を有効に活用できる。また、ユーザが、各階層において選択したモードを確認したい場合は、スイッチＢを押下し、選択したモードの名称の表示を指示する表示命令を入力する。入力部１０９を介して表示命令が入力されると、ＣＰＵ１０２は、ＬＣＤドライバ１０５を制御し、ＬＣＤ１０４を介して、所定時間、各階層において選択したモードの名称のオートリターン表示を行う。
【００１６】
つぎに、スイッチＣが押下された場合は、下位階層においてデイリーモードからウィークデイモードへの選択変更を行い、まず、選択したモードであるウィークデイモードの名称である「ＷＥＥＫＤＡＹ」の表示を行う（図中の２０４）。続いて、上位階層のアラームモードの名称である「ＡＬＡＲＭ」の表示を行い（図中の２０３）、以後所定時間、「ＷＥＥＫＤＡＹ」および「ＡＬＡＲＭ」を交互に切り替えて表示する、いわゆる、オートリターン表示を行う。所定時間の経過後はこの表示を終了する。
【００１７】
さらにスイッチＣが押下された場合も同様に、下位階層においてウィークデイモードからスケジュールモードへの選択変更を行い、まず、選択したモードであるスケジュールモードの名称である「ＳＣＨＥＤＵＬＥ」の表示を行う（図中の２０６）。続いて、上位階層のアラームモードの名称である「ＡＬＡＲＭ」の表示を行い（図中の２０５）、以後所定時間、「ＳＣＨＥＤＵＬＥ」および「ＡＬＡＲＭ」を交互に切り替えて表示する、いわゆる、オートリターン表示を行う。所定時間の経過後はこの表示を終了する。さらに、スイッチＣが押下された場合は、再びデイリーモードに戻る。
【００１８】
ここで、モードの名称、たとえば、「ＳＣＨＥＤＵＬＥ」の文字数が多いため、表示画面に一度に表示できない場合は、移動させながら表示する、いわゆる、スクロール表示を行う。図３は、実施の形態１にかかるモードの名称の表示例を示す説明図である。上位階層においてアラームモードが設定され、下位階層においてスケジュールモードが設定されている場合は、「ＡＬＡＲＭ」および「ＳＣＨＥＤＵＬＥ」のオートリターン表示が行われ、かつ、「ＳＣＨＥＤＵＬＥ」を表示するときは、スクロール表示が行われる（図中の３０１〜３０３）。
【００１９】
図２に戻り、つぎに、スイッチＡが押下された場合、ＣＰＵ１０２は、下位階層において設定されているデイリーモードを示すパラメータをＲＡＭ１０３に記憶させ、タイマーモードへの選択変更を行い、ＲＡＭ１０３に記憶されているプリセットモードを示すパラメータに基づいて、下位階層のプリセットモードを設定する。このように、上位階層において、モードの選択変更を行う場合に、従属する下位階層のモードを記憶することにより、再び、その上位階層のモードに選択変更された場合に、もとの下位階層のモードを設定することができる。
【００２０】
ＣＰＵ１０２は、選択変更後、まず、ＬＣＤドライバ１０５を制御し、ＬＣＤ１０４を介して、選択したモードであるタイマーモードの名称の「ＴＩＭＥＲ」を表示する（図中の２０７）。続いて、下位階層のプリセットモードの名称である「ＰＲＥＳＥＴ」の表示を行い（図中の２０８）、以後所定時間、「ＴＩＭＥＲ」および「ＰＲＥＳＥＴ」を交互に切り替えて表示する、いわゆる、オートリターン表示を行う。所定時間経過後はこの表示を終了する。
【００２１】
つぎに、スイッチＣが押下された場合は、下位階層においてプリセットモードからフリーモードへの選択変更を行い、まず、選択したモードであるフリーモードの名称である「ＦＲＥＥ」の表示を行う（図中の２１０）。続いて、上位階層のタイマーモードの名称である「ＴＩＭＥＲ」の表示を行い（図中の２０９）、以後所定時間、「ＦＲＥＥ」および「ＴＩＭＥＲ」を交互に切り替えて表示する、いわゆる、オートリターン表示を行う。所定時間経過後はこの表示を終了する。さらに、スイッチＣが押下された場合は、再びプリセットモードに戻る。
【００２２】
つぎに、スイッチＡが押下された場合、ＣＰＵ１０２は、下位階層のプリセットモードを示すパラメータをＲＡＭ１０３に記憶させ、アラームモードへの選択変更を行い、ＲＡＭ１０３に記憶されたデイリーモードを示すパラメータに基づいて下位階層のデイリーモードを設定する。
【００２３】
前述した様に実施の形態１によれば、各階層において選択したモードの名称を交互に切り替えて表示するため、ユーザが各階層のモードを確認することができ、ユーザの負荷を軽減し、操作性の向上を図ることができる。
【００２４】
実施の形態２．
実施の形態２の電子時計は、実施の形態１の電子時計と同様の構成を有し、また、動作も同様であり、モードの名称の表示方法のみが異なる。同一の部分はその説明を省略し、異なる部分であるモードの名称の表示についてのみ、図４，図５を参照して説明する。
【００２５】
図４は、本発明の実施の形態２にかかるモードの名称の表示例を示す説明図である。実施の形態２にかかる電子時計は、オートリターン表示の代わりに、文字を移動させながら表示するスクロール表示を行う。たとえば、上位階層のアラームモードおよび下位階層のデイリーモードが設定されている場合は、「ＡＬＡＲＭ」および「ＤＡＩＬＹ」の表示を階層順にスクロール表示する（図中の４０１〜４０３）。また、全ての階層におけるモードの名称をスクロール表示する代わりに、一部の階層におけるモードの名称のみをスクロール表示するようにしてもよい。図５は、実施の形態２にかかるモードの名称の、他の表示例を示す説明図である。たとえば、上位階層のモードの名称である「ＡＬＡＲＭ」はスクロールさせずに表示し、下位階層のモードの名称である「ＤＡＩＬＹ」のみをスクロール表示する（図中の５０１〜５０３）。
【００２６】
前述した様に実施の形態２によれば、各階層において選択したモードの名称をスクロール表示するため、ユーザが各階層のモードを確認することができ、ユーザの負荷を軽減し、操作性の向上を図ることができる。なお、前述した実施の形態１および実施の形態２では、モードの選択後の所定時間、各階層において選択したモードの名称の表示をおこなったが、常に、この表示をおこなうようにしてもよい。また、電子腕時計を例に挙げたが、他の電子時計や携帯機器等であってもよい。
【００２７】
【発明の効果】
以上説明したように、本発明の電子時計は、各階層において選択したモードの名称を交互に切り替えて表示するため、ユーザが各階層のモードを確認することができ、ユーザの負荷を軽減し、操作性の向上を図ることができる。
【００２８】
また、本発明の電子時計は、各階層において選択したモードの名称をスクロール表示するため、ユーザが各階層のモードを確認することができ、ユーザの負荷を軽減し、操作性の向上を図ることができる。
【００２９】
また、本発明の電子時計は、選択したモードの名称をスクロール表示するため、一度に表示できないモードの名称をスクロール表示により表示することができる。
【００３０】
また、本発明の電子時計は、モード名称の表示を所定時間経過後に終了するため、所定時間経過後は、モード名称の表示がされていた部分にも他の表示を行うことができ、表示画面を有効に活用できる。
【００３１】
また、本発明の電子時計は、最下位でない階層のモードの選択変更を行う場合、選択変更する前のモードに従属する下位モードを記憶するため、その選択変更する前のモードが再び選択されたとき、記憶している下位モードを設定することができ、よく使う上位の階層と下位の階層の組合せがある場合に、選択変更の操作を少なくすることができる。
【００３２】
また、本発明の電子時計は、選択したモードの名称を最初に表示するため、どのモードを選択したのかが分かりやすくなり、操作性が向上する。
【００３３】
また、本発明の電子時計は、表示命令を入力した場合に、各階層において選択したモードの名称の表示を行うため、ユーザは、適宜、各階層において選択したモードの名称を確認できる。
【図面の簡単な説明】
【図１】本発明の実施の形態１にかかる電子腕時計の概略構成を示すブロック図である。
【図２】実施の形態１にかかるＣＰＵによる表示制御を示す説明図である。
【図３】実施の形態１にかかるモードの名称の表示例を示す説明図である。
【図４】本発明の実施の形態２にかかるモードの名称の表示例を示す説明図である。
【図５】実施の形態２にかかるモードの名称の、他の表示例を示す説明図である。
【符号の説明】
１００  電子腕時計
１０１  ＲＯＭ
１０２  ＣＰＵ
１０３  ＲＡＭ
１０４  ＬＣＤ
１０５  ＬＣＤドライバ
１０６  システムクロック発振回路
１０７  分周回路
１０８  カウンタ
１０９  入力部
【図１】
0003563294.tif 000002
【図２】
0003563294.tif 000003
【図３】
0003563294.tif 000004
【図４】
0003563294.tif 000005
【図５】
0003563294.tif 000006